(57)【要約】【課題】  個々のユーザの嗜好に合う機能を有する家電製品を得る手段を提供する。【解決方法】  動作プログラム６が実行されることにより動作する家電製品３のメーカより提供され、ユーザが前記動作プログラム６の作成または変更が可能な家電製品用プログラム作成手段２とし、この家電製品用プログラム作成手段２をコンピュータ１に格納し実行する。コンピュータ１は通信手段７により家電製品３と接続され、コンピュータ１と家電製品３との間でデータ通信を行い、家電製品３を動作させながら動作プログラム６を作成する。【選択図】  図１
2005044244.tif 000002
【特許請求の範囲】
【請求項１】
動作プログラム（６）が実行されることにより動作する家電製品（３）のメーカより提供され、ユーザが前記動作プログラム（６）の作成または変更が可能なことを特徴とする家電製品用プログラム作成手段。
【請求項２】
ネットワークに接続する機能を持ち、ユーザが作成または変更した家電製品（３）の動作プログラム（６）をネットワークを通じて他のユーザに配布可能なことを特徴とする請求項１記載の家電製品用プログラム作成手段。
【発明の詳細な説明】
【技術分野】
【０００１】
本発明は、家電製品の動作プログラムの作成または変更が可能な家電製品用プログラム作成手段に関するものである。
【背景技術】
【０００２】
近年、家電製品の性能向上、または嗜好に合った家電製品を望むユーザの声が高まっている。近年の家電製品のほとんどはマイクロコンピュータが搭載され、このマイクロコンピュータに内蔵されたメモリまたは外部メモリに動作プログラムが格納されて動作している。メーカは動作プログラムの機能を高め、ユーザの嗜好に合った動作、機能を選択できるよう努めている。
【０００３】
特許文献１に開示された技術は炊飯器に関する一つの解決策であり、メーカが最適の炊飯プログラムをホームページで提供し、ユーザがこのプログラムをホームページからダウンロードして炊飯器にインストールすることができるものである。これにより、ユーザはメーカが提供する最新の炊飯プログラムを入手し、炊飯器を動作させることができる。
【０００４】
【特許文献１】特開２００２−１０９２０４号公報（第３頁）
【発明の開示】
【発明が解決しようとする課題】
【０００５】
前述したように、特許文献１に開示された技術は、メーカが最適の炊飯プログラムをホームページで提供し、ユーザがこのプログラムをホームページからダウンロードして炊飯器にインストールすることができるものであるが、このようにメーカが作成した家電製品の動作プログラムはできるだけ多数のユーザ向けに作成された標準的なものであり、全てのユーザの嗜好に合うものではないという問題があった。
【課題を解決するための手段】
【０００６】
本発明は上述の課題を解決するためになされたものであり、具体的には、動作プログラムが実行されることにより動作する家電製品のメーカより提供され、ユーザが前記動作プログラムの作成または変更が可能な家電製品用プログラム作成手段である。
【発明の効果】
【０００７】
請求項１に記載の発明は、上記のように、動作プログラムが実行されることにより動作する家電製品のメーカより提供され、ユーザが前記動作プログラムの作成または変更が可能な家電製品用プログラム作成手段なので、メーカが提供する動作プログラムばかりではなく、各ユーザが独自に嗜好に合う動作プログラムを作成することができ、個々のユーザの嗜好に合う機能を有する家電製品を得ることができるという効果を奏する。
【０００８】
請求項２に記載の発明は、さらに、ネットワークに接続する機能を持ち、ユーザが作成または変更した家電製品の動作プログラムをネットワークを通じて他のユーザに配布可能なものなので、メーカが作成提供する標準的な機能だけでなく、他のユーザの作成した動作プログラムを動作させることができ、家電製品の機能等の幅を広げることが簡単にできるという効果を奏する。
【発明を実施するための最良の形態】
【０００９】
以下、本発明の実施の形態について、図１に従って説明する。
【００１０】
図１は本発明の家電製品用プログラム作成手段をコンピュータに格納し家電製品と接続したブロック構成図である。
【００１１】
図において、１はコンピュータで、パーソナルコンピュータ等であり、内蔵した記憶手段（図示せず）に次記家電製品用プログラム作成手段２を格納し実行する。
【００１２】
２は家電製品用プログラム作成手段で、後記家電製品３のメーカより提供され、ユーザが後記家電製品３の後記動作プログラム６の作成または変更が可能なものである。
【００１３】
３は家電製品で、本実施形態においては炊飯器であり、マイクロコンピュータ（図示せず）、炊飯用のヒータ（図示せず）、次記センサ４、後記メモリ５等を備えている。４はセンサで、例えば一つないし複数の温度センサであり、家電製品（炊飯器）３に内蔵され、米の温度等を検出する。
【００１４】
５はメモリで、家電製品（炊飯器）３に内蔵され、メーカの作成した後記動作プログラム６が格納され、さらにユーザの作成する複数の後記動作プログラム６等が格納可能であり、格納された後記動作プログラム６を選択実行させることにより家電製品（炊飯器）３が動作する。
【００１５】
６は動作プログラムで、メモリ５に格納され、メーカが作成したものと、ユーザが作成した場合にはユーザが作成したものとがあり、選択実行されることによりその内容に応じて家電製品（炊飯器）３が動作する。
【００１６】
７は通信手段で、家電製品（炊飯器）３とコンピュータ１との間に接続され、家電製品（炊飯器）３とコンピュータ１との間のデータ通信を行うものであり、有線でも無線でもよい。
【００１７】
以上の構成において動作を説明する。
先ず、ユーザはコンピュータ１を動作させ、コンピュータ１に内蔵された記憶手段にメーカから提供された家電製品用プログラム作成手段２を格納し実行する。
【００１８】
次に、家電製品（炊飯器）３内に米、水を入れ、メモリ５に格納された動作プログラム６を選択実行させ、その動作を開始する。すると、家電製品（炊飯器）３に内蔵されたセンサ４の検出する温度データや通電されているヒータの電力データが通信手段７を介して刻々コンピュータ１に転送される。
【００１９】
コンピュータ１内の家電製品用プログラム作成手段２は転送されて来るセンサ４の温度データやヒータの電力データ等を家電製品（炊飯器）３の動作期間中コンピュータ１の画面に表示し、ユーザはこれらのデータの時間的変化を同画面で確認する。
【００２０】
ユーザは前記センサ４の温度データやヒータの電力データ等、および米の炊き上がり状況を参考にし、必要に応じて炊飯動作を繰り返し、コンピュータ１を操作してユーザの嗜好に合った家電製品（炊飯器）３の制御動作すなわちヒータの電力や通電時間、制御温度値等を決定する。
【００２１】
ユーザの操作により、家電製品用プログラム作成手段２はユーザの決定した家電製品（炊飯器）３の制御動作を動作プログラム６に変換作成し、コンピュータ１に内蔵された記憶手段（図示せず）に格納する。
【００２２】
ここで、該動作プログラム６は新たに作成するのではなく、既に作成済みの動作プログラム６を変更することにしてもよい。
【００２３】
ユーザがプログラム転送操作をコンピュータ１で行うと、家電製品用プログラム作成手段２は作成した動作プログラム６をコンピュータ１に内蔵された記憶手段（図示せず）から通信手段７を介して家電製品（炊飯器）３に内蔵されたメモリ５に転送し格納する。
【００２４】
そして、ユーザが前記の作成された動作プログラム６の動作開始の操作を家電製品（炊飯器）３で行うと、該動作プログラム６が実行され、コンピュータ１で決定した制御動作通りに家電製品（炊飯器）３が動作する。
【００２５】
以上のように、家電製品用プログラム作成手段２の作用により、メーカが作成提供する標準的な炊飯レシピだけでなく、ユーザ自身で嗜好に合った炊飯レシピや炊き上がりを得ることができる。
【００２６】
また、家電製品用プログラム作成手段２はネットワークに接続する機能を持つ。
【００２７】
ユーザはコンピュータ１をインターネット等のネットワークに接続し、家電製品用プログラム作成手段２のネットワークに接続する機能を動作させることにより、ユーザが作成または変更した家電製品（炊飯器）３の動作プログラム６がネットワークを通じて他のユーザに配布される。
【００２８】
もしくは、家電製品用プログラム作成手段２のネットワークに接続する機能を動作させることにより、ユーザは自身のホームページ等にユーザが作成または変更した家電製品（炊飯器）３の動作プログラム６を個人作成のレシピ等として公開し、他のユーザが該動作プログラム６をダウンロード可能とする。
【００２９】
該動作プログラム６をコンピュータ１にダウンロードした他のユーザは、図１に示す構成をとり、家電製品用プログラム作成手段２を動作させ、該動作プログラム６をコンピュータ１から通信手段７を介して家電製品（炊飯器）３に内蔵されたメモリ５に転送し格納する。
【００３０】
これにより、この家電製品（炊飯器）３においても他のユーザの作成した動作プログラム６を動作させることができるので、メーカが作成提供する標準的な炊飯レシピだけでなく、別の炊飯レシピや炊き上がりを追加してレシピ等の幅を広げることが簡単にできる。
【００３１】
尚、以上の説明において、家電製品３を炊飯器としたが、これに限るものではなく、電子レンジ、他の調理器、その他種々の家電製品３に適用できるものである。
【図面の簡単な説明】
【００３２】
【図１】本発明の家電製品用プログラム作成手段をコンピュータに格納し家電製品と接続したブロック構成図である。
【符号の説明】
【００３３】
２  家電製品用プログラム作成手段
３  家電製品
６  動作プログラム
【図１】
2005044244.tif 000003